(57)【要約】【課題】観測作業の自動化が容易であると共に、信頼性の高い観測結果を得ることができる降雪深観測装置、及び降雪深観測方法を提供する。【解決手段】  降雪深観測装置１は、上下方向に延在する支柱２と、支柱２に設けられ、雪を透過可能な第１の観測波Ｗ１を照射すると共に、反射層１４により反射された第１の観測波Ｗ１を検出する第１の観測波照射手段３と、支柱２に設けられ、雪面１２に反射層１４を形成する反射層形成手段４と、第１の観測波照射手段３による第１の観測波Ｗ１の検出結果を利用して、反射層１４上に積もった雪の深さを算出する演算手段３と、を備えている。【選択図】図６
2010032381.tif 000002
【特許請求の範囲】
【請求項１】
上下方向に延在する支柱と、
前記支柱に設けられ、雪を透過可能な第１の観測波を照射すると共に、反射層により反射された前記第１の観測波を検出する第１の観測波照射手段と、
前記支柱に設けられ、雪面に前記反射層を形成する反射層形成手段と、
前記第１の観測波照射手段による前記第１の観測波の検出結果を利用して、前記反射層上に積もった雪の深さを算出する演算手段と、
を備えていることを特徴とする降雪深観測装置。
【請求項２】
前記支柱に設けられ、雪に反射される第２の観測波を照射すると共に、雪面に反射された前記第２の観測波を検出する第２の観測波照射手段を更に備え、
前記演算手段は、更に前記第２の観測波照射手段による前記第２の観測波の検出結果を利用して、前記反射層上に積もった雪の深さを算出することを特徴とする請求項１に記載の降雪深観測装置。
【請求項３】
前記反射層形成手段は、前記反射層形成手段の下方の雪面までの距離を測定する距離測定手段を有すると共に、前記支柱に沿って上下方向に移動可能であることを特徴とする請求項１又は請求項２に記載の降雪深観測装置。
【請求項４】
前記反射層形成手段は、前記支柱の周方向で回動可能に設けられていることを特徴とする請求項１〜３のいずれか一項に記載の降雪深観測装置。
【請求項５】
雪を透過可能な第１の観測波を反射する第１の反射層を雪面に形成する工程と、
前記第１の観測波によって所定の基準位置から前記第１の反射層までの第１の距離を計測する工程と、
前記第１の反射層の上方に形成された新たな雪面に前記第１の観測波を反射する第２の反射層を形成する工程と、
前記第１の観測波によって前記基準位置から前記第２の反射層までの第２の距離を計測する工程と、
前記第１の距離と前記第２の距離とを利用して、前記第１の反射層と前記第２の反射層との間の雪の深さを算出する工程と、
を有することを特徴とする降雪深観測方法。
【請求項６】
雪を透過可能な第１の観測波を反射する反射層を雪面に形成する工程と、
前記第１の観測波によって所定の基準位置から前記反射層までの第１の距離を計測する工程と、
雪に反射される第２の観測波によって、前記基準位置から前記反射層の上方に形成された新たな雪面までの第２の距離を計測する工程と、
前記第１の距離と前記第２の距離とを利用して、前記反射層上に積もった雪の深さを算出する工程と、
を有することを特徴とする降雪深観測方法。
【発明の詳細な説明】
【技術分野】
【０００１】
本発明は、特に、水資源賦存量の推定や雪災害の警戒のために使用される降雪深（単位時間に積もる雪の深さ）の観測に用いられる降雪深観測装置及び降雪深観測方法に関するものである。
【背景技術】
【０００２】
従来の降雪深観測方法について図面を参照して説明する。なお、図面の説明において同一の要素には同一の符号を付し、重複する説明を省略する。
【０００３】
図８は、従来の計測スケールによる降雪深観測方法を示す説明図である。図８（ａ）に示すように、従来の降雪深観測に用いられる計測スケール１７は、雪面上に計測スケール１７を設置するための受雪板１８と、受雪板１８上に立設されたスケール部１９とを有している。この計測スケール１７は、雪が平坦に積もる場所に設置され、スケール部１９の目盛りを用いて受雪板１８と受雪板１８の上方に形成された雪面との距離を計測することで、降雪深の観測を行う。
【０００４】
以下、計測スケール１７による降雪深観測方法について図面を参照して説明する。
【０００５】
図８に示すように、降雪深の観測開始時において、まず、観測開始時の雪面１２の高さに受雪板１８の上面の高さが合うように計測スケール１７を設置する。この状態で時間が経過すると、図８（ｂ）に示すように、雪面１２は、自重や新たな積雪の重みにより徐々に沈下していき、観測開始時点における雪面１２の平均高さ１５より低くなる。このとき、計測スケール１７も雪面１２の沈下に伴って沈下する。
【０００６】
観測開始時から単位時間（例えば１時間、半日、１日）経過後、図８（ｃ）に示すように、新たな積雪により雪面１６が形成される。そして、この雪面１６の高さに対応するスケール部１９の目盛りＸを読むことにより、受雪板１８と受雪板１８の上方に形成された新たな雪面１６との距離、すなわち沈下した観測開始時の雪面１２と単位時間経過後の雪面１６との距離Ｌ４を計測する。続いて、この計測結果から降雪深を算出することにより単位時間あたりの降雪深の観測を行う。
【０００７】
その後、図８（ｄ）に示すように、雪中から計測スケール１７を取り出し、単位時間経過後の新たな雪面１６に受雪板１８の上面を合わせる。このとき、計測スケール１７を取り出すことで雪面１６に形成された穴を次回の計測に影響のないように周囲の雪を用いて埋める。これにより、雪面１６を平坦な状態に修復して、次回の観測に備える。この計測スケール１７では、以上の手順を繰り返すことにより、単位時間あたりの降雪深を継続的に観測することが可能となる。
【０００８】
図９〜図１１は、特許文献１に記載された従来の降雪量測定装置による降雪深観測方法を示す説明図である。図９〜図１１に示すように、従来の降雪深の観測に用いられる降雪量測定装置２０は、支柱２１と、距離測定部２２と、支持アーム２３と、受雪板２４とを有している。
【０００９】
距離測定部２２は、平坦な地面に立設された支柱２１の先端側から側方に突出する棒状の連結部に固定されており、超音波によって、距離測定部２２と受雪板２４の上面との距離及び距離測定部２２と受雪板２４上に形成された雪面１６との距離を測定する。
【００１０】
支持アーム２３は、距離測定部２２より低い位置で支柱２１から側方に突出する棒状の部材であり、図示しない駆動部によって、上下移動や回転を行う。支持アーム２３の先端側には、雪を受けるための受雪板２４が固定されている。
【００１１】
以下、降雪量測定装置２０による降雪深観測方法について図面を参照して説明する。
【００１２】
図９（ａ）に示すように、降雪深の観測開始時において、まず、支持アーム２３を移動させ、水平状態の受雪板２４の上面の高さと観測開始時の雪面１２の高さとを合わせる。その後、図９（ｂ）に示すように、超音波Ｖ２によって距離測定部２２と受雪板２４の上面との距離Ｌ５を測定する。
【００１３】
続いて、図１０（ａ）に示すように、観測開始時から単位時間経過後、超音波Ｖ３によって距離測定部２２と新たな積雪により形成された雪面１６との距離Ｌ６を測定する。そして、この降雪量測定装置２０では、計測した距離測定部２２と受雪板２４の上面との距離Ｌ５と、距離測定部２２と新たな積雪により形成された雪面１６との距離Ｌ６との差分を降雪深として扱うことで単位時間あたりの降雪深の観測を行う。
【００１４】
その後、図１０（ｂ）に示すように、支持アーム２３を上方に移動させ、雪ごと受雪板２４を上昇させる。そして、図１１（ａ）に示すように、支柱２１を中心として支持アーム２３を矢印Ｅ方向に回転させた後、支持アーム２３と共に受雪板２４を矢印Ｆ方向に回転させることで受雪板２４上に積もった雪２５を落下させる。その後、図１１（ｂ）に示すように、受雪板２４を矢印Ｇ方向に回転させて水平状態に戻した後、支持アーム２３を矢印Ｈ方向に回転させる。そして、支持アーム２３を下降させて、受雪板２４の上面の高さを雪面１６の高さに合わせることで、次の観測に備える。
【００１５】
図１２〜図１３は、特許文献２に記載された時間降雪量計測装置による降雪深観測方法を示す説明図である。図１２〜図１３に示すように、従来の降雪深の観測に用いられる時間降雪量計測装置３０は、支柱３１と、距離センサ３２と、降雪板３３と、除雪ブラシ３４とを有している。
【００１６】
距離センサ３２は、平坦な地面に立設された支柱３１の先端側から側方に突出する棒状の連結部に固定されている。この距離センサ３２は、超音波によって、距離センサ３２と降雪板３３の上面との距離を測定すると共に、光によって、距離センサ３２と降雪板３３上に積もった雪３５の表面との距離を測定する。
【００１７】
降雪板３３は、距離センサ３２の下方で積雪により降雪板３３が埋もれない高さにおいて支柱３１の側方に突出する支持棒に固定されている。この支持棒は、図示しない駆動部によって支柱３１の周方向で回転され、この回転に伴って降雪板３３も支柱３１を中心として回転される。
【００１８】
除雪ブラシ３４は、距離センサ３２と降雪板３３との間で支柱３１の側方に突出する長尺の部材であり、下方に向けられたブラシ部を有している。この除雪ブラシ３４は、ブラシ部のブラシ先端が降雪板３３の上面と同じ高さになるように設けられている。
【００１９】
以下、時間降雪量計測装置３０による降雪深観測方法について図面を参照して説明する。
【００２０】
図１２（ａ）に示すように、降雪深の観測開始時において、距離センサ３２と降雪板３３と除雪ブラシ３４とは、上下方向に重ならない位置に配置されている。図１２（ｂ）及び図１３（ａ）に示すように、観測開始時から単位時間経過後、降雪板３３上に雪３５が積もった状態で、距離センサ３２の下方の位置に降雪板３３を回転させる。そして、光Ｖ４により距離センサ３２と降雪板３３上に積もった雪３５の表面との距離Ｌ７を測定する。
【００２１】
その後、図１２（ｃ）に示すように、超音波Ｖ５により距離センサ３２と降雪板３３の上面との距離Ｌ８を測定する。この時間降雪量計測装置３０では、距離センサ３２と降雪板３３上に積もった雪３５との距離Ｌ７と距離センサ３２と降雪板３３の上面との距離Ｌ８との差分を降雪深として扱うことで単位時間あたりの降雪深の観測を行う。
【００２２】
続いて、図１３（ｂ）に示すように、降雪板３３を矢印Ｎ方向に回転させ、除雪ブラシ３４の下を通過させる。これによって、降雪板３３上の雪３５が除雪ブラシ３４によって除雪される。その後、図１３（ｃ）に示すように、降雪板３３を矢印Ｐ方向に回転させることで、次の観測に備える。
【００２３】
【特許文献１】特開平６−８８８８２号公報
【特許文献２】特開平１０−２６８０６８号公報
【発明の開示】
【発明が解決しようとする課題】
【００２４】
前述した従来の降雪深観測用の装置には、次のような課題がある。まず、図８に示す計測スケール１７では、観測作業を自動化できないため、手作業で行わなければならず、降雪深の観測地点への移動を含め多大な労力が費やされる。また、図９〜図１１に示す降雪量測定装置２０では、観測開始時の雪面１２の時間経過に伴う沈下が考慮されておらず、雪面１２の沈下分が誤差として降雪深の観測結果に含まれるため、観測結果の信頼性が低い。そして、図１２〜図１３に示す時間降雪量計測装置３０では、強風などの影響により、降雪板３３上の雪３５が飛ばされるおそれがあるため、観測結果の信頼性が低下してしまうという問題があった。
【００２５】
本発明は、観測作業の自動化が容易であると共に、信頼性の高い観測結果を得ることができる降雪深観測装置、及び降雪深観測方法を提供することを目的とする。
【課題を解決するための手段】
【００２６】
本発明に係る降雪深観測装置は、上下方向に延在する支柱と、支柱に設けられ、雪を透過可能な第１の観測波を照射すると共に、反射層により反射された第１の観測波を検出する第１の観測波照射手段と、支柱に設けられ、雪面に反射層を形成する反射層形成手段と、第１の観測波照射手段による第１の観測波の検出結果を利用して、反射層上に積もった雪の深さを算出する演算手段と、を備えていることを特徴とする。
【００２７】
本発明に係る降雪深観測装置によれば、降雪深の観測開始時において、反射層形成手段により所定の雪面に１つ目の反射層を形成し、単位時間（例えば１時間、半日、１日）経過後、第１の観測波照射手段の第１の観測波によって、第１の観測波照射手段と１つ目の反射層との距離を測定する。そして、新たな積雪により１つ目の反射層の上方に形成された新たな雪面に２つ目の反射層を形成し、第１の観測波によって第１の観測波照射手段と２つ目の反射層との距離を測定する。これによって、第１の観測波照射手段と１つ目の反射層との距離と、第１の観測波照射手段と２つ目の反射層との距離との差分（すなわち観測開始時の雪面と単位時間経過後の雪面との高さの差分）を利用して、単位時間あたりの降雪深（第１の反射層上に積もった雪の深さ）を算出することが可能となる。ここで、この降雪深観測装置によれば、単位時間経過後に第１の観測波照射手段と観測開始時の雪面との距離を測定するにあたり、観測開始時の雪面が自重や新たな積雪の重みによって沈下するに伴って１つ目の反射層も沈下するため、雪面の沈下も考慮した正確な距離を計測することが可能となる。従って、この降雪深観測装置によれば、正確な距離の計測結果に基づいて降雪深の算出を行うことにより、信頼性の高い降雪深の観測結果を得ることができる。さらに、従来の装置のように受雪板に支持された雪面ではなく、地面に支持された雪面に対して計測を行うことができるため、風などの影響により計測対象の雪が飛散することが抑制され、降雪深の観測結果の信頼性の向上が図られる。また、この降雪深観測装置では、降雪深を観測するにあたり、人手が必要となる作業がないため、観測作業の自動化が容易である。そして、自動観測による観測結果を無線等により受信設備を有する観測所などに自動送信する態様とすることで、人的労力の低減が図られる。
【００２８】
また、支柱に設けられ、雪に反射される第２の観測波を照射すると共に、雪面に反射された第２の観測波を検出する第２の観測波照射手段を更に備え、演算手段は、更に第２の観測波照射手段による第２の観測波の検出結果を利用して、反射層上に積もった雪の深さを算出すると好適である。
【００２９】
この降雪深観測装置によれば、降雪深の観測開始時において、反射層形成手段により所定の雪面に反射層を形成し、単位時間経過後、第２の観測波照射手段の第２の観測波によって、新たな降雪によって反射層の上方に形成された雪面と第２の観測波照射手段との距離を測定すると共に、第１の観測波照射手段の第１の観測波によって、第１の観測波照射手段と反射層（すなわち観測開始時の雪面）との距離を測定する。そして、第１の観測波照射手段と観測開始時の雪面との距離、第２の観測波照射手段と単位時間経過後の雪面との距離を利用して、単位時間あたりの降雪深（反射層上に積もった雪の深さ）を算出することが可能となる。
【００３０】
また、反射層形成手段は、反射層形成手段の下方の雪面までの距離を測定する距離測定手段を有すると共に、支柱に沿って上下方向に移動可能であると好適である。この場合、距離測定手段により測定した反射層形成手段と反射層形成手段の下方の雪面との距離に基づいて、雪面に反射層を形成するために最適な位置に反射層形成手段を精度良く移動させることが可能となるため、反射層の形成作業をより確実に行うことが可能となり、降雪深の観測結果の信頼性の向上が図られる。
【００３１】
また、反射層形成手段は、支柱の周方向で回動可能に設けられていると好適である。反射層形成手段を支柱の周方向で回動可能とすることで、降雪深測定手段から照射される第１の観測波や第２の観測波の進路を反射層形成手段が遮ってしまうことをより確実に回避することができるため、信頼性の高い降雪深の観測結果を得ることが可能となる。
【００３２】
本発明に係る降雪深観測方法は、雪を透過可能な第１の観測波を反射する第１の反射層を雪面に形成する工程と、第１の観測波によって所定の基準位置から反射層までの第１の距離を計測する工程と、第１の反射層の上方に形成された新たな雪面に第１の観測波を反射する第２の反射層を形成する工程と、第１の観測波によって基準位置から第２の反射層までの第２の距離を計測する工程と、第１の距離と第２の距離とを利用して、反射層上に積もった雪の深さを算出する工程と、を有することを特徴とする。
【００３３】
本発明に係る降雪深観測方法によれば、降雪深の観測開始時において、雪を透過可能な第１の観測波を反射する第１の反射層を雪面に形成し、単位時間経過後、第１の観測波によって所定の基準位置から第１の反射層までの距離を計測する。そして、新たな積雪により第１の反射層の上方に形成された新たな雪面に第２の反射層を形成し、第１の観測波によって第１の観測波照射手段と第２の反射層との距離を測定する。これによって、第１の観測波照射手段と第１の反射層との距離と、第１の観測波照射手段と第２の反射層との距離との差分から単位時間あたりの降雪深を算出することが可能となる。従って、この降雪深観測方法によれば、単位時間あたりの降雪深を算出するに際し、観測開始時の雪面が自重や新たな積雪の重みによって沈下するに伴って第１の反射層も沈下するため、雪面の沈下も考慮した正確な距離を算出することが可能となり、信頼性の高い降雪深の観測結果を得ることができる。さらに、この降雪深観測方法では、従来の方法のように受雪板などに支持された雪面ではなく、地面に支持された雪面に対して計測を行うことができるため、風などの影響により計測対象の雪が飛散することが抑制され、降雪深の観測結果の信頼性の向上が図られる。また、この降雪深観測方法では、降雪深を観測するにあたり、手作業で行う必要がある工程がないため、観測作業の自動化が容易である。そして、自動観測による観測結果を無線等により受信設備を有する観測所などに自動送信する態様とすることで、人的労力の低減が図られる。
【００３４】
本発明に係る他の降雪深観測方法は、雪を透過可能な第１の観測波を反射する反射層を雪面に形成する工程と、第１の観測波によって所定の基準位置から反射層までの第１の距離を計測する工程と、雪に反射される第２の観測波によって、基準位置から反射層の上方に形成された新たな雪面までの第２の距離を計測する工程と、第１の距離と第２の距離とを利用して、反射層上に積もった雪の深さを算出する工程と、を有することを特徴とする。
【００３５】
この降雪深観測方法によれば、降雪深の観測開始時において、雪を透過可能な第１の観測波を反射する反射層を雪面に形成し、単位時間経過後、第１の観測波によって所定の基準位置から反射層までの距離を計測すると共に、雪に反射される第２の観測波によって、基準位置から反射層の上方に形成された雪面までの距離を計測することにより、単位時間の降雪により反射層の上方に形成された雪面と反射層との距離、すなわち単位時間あたりの降雪深を算出することが可能となる。
【発明の効果】
【００３６】
本発明によれば、降雪深の観測作業の自動化が容易であると共に、信頼性の高い観測結果を得ることができる。
【発明を実施するための最良の形態】
【００３７】
以下、本発明に係る降雪深観測装置について、図面を参照して説明する。
【００３８】
図１〜図７は、本発明の実施形態に係る降雪深観測装置による降雪深観測方法を示す説明図である。図１に示すように、本発明に係る降雪深観測装置１は、支柱２と、距離測定器３と、反射層形成システム４と、制御部１０と、データ送信部１１とを有している。
【００３９】
距離測定器３は、平坦な地面に立設された支柱２の先端側から側方に突出する支持棒の先端に固定されている。距離測定器３（第１の観測波照射手段，第２の観測波照射手段）は、雪を透過可能な第１の観測波と雪に反射される第２の観測波とを下方に向けて照射する照射部と、後述する反射層１４に反射された第１の観測波と雪に反射された第２の観測波とを検出する検出部と、検出部の検出結果に基づいて、距離測定器３（基準位置）から反射層１４までの距離や距離測定器３から雪面までの距離を算出し、この算出結果より降雪深を演算する降雪深演算部（演算手段）とを有し、降雪深測定手段として機能する。
【００４０】
第１の観測波及び第２の観測波は、例えば、超音波、音波、電磁波であり、第１の観測波は、特に超音波であることが好ましく、その波長は５０ｋＨｚ〜４５７ｋＨｚの範囲であるとより好ましい。また、第２の観測波は、特に超音波であることが好ましく、その波長は４０ｋＨｚ〜５０ｋＨｚの範囲であるとより好ましい。
【００４１】
反射層形成システム４は、距離測定器３より低い位置で上下に延在する支柱２に取り付けられた環状の駆動部５と、駆動部５から側方に突出した支持アーム６と、支持アーム６の先端に固定されたシステム本体７と、システム本体７の下面に設けられた距離センサ８と、同じくシステム本体７の下面に設けられた噴射口９とを有している。
【００４２】
反射層形成システム４の駆動部５は、モータなどにより支柱２に沿って上下移動すると共に、支柱２の周方向で回転するものであり、駆動部５の移動や回転に伴い支持アーム６及びシステム本体７が移動、回転される。距離センサ８は、例えば光センサであり、光によってシステム本体７の下方の雪面とシステム本体７との距離を測定する。
【００４３】
反射層形成システム４のシステム本体７には、距離測定器３から照射される第１の観測波を反射する反射層を形成するための反射層形成物質が収容されている。システム本体７は、反射層形成物質を噴射口９から下方の雪面に噴射することで反射層を形成する。このような反射層形成物質としては、例えばおがくず、木材のチップ、薄くスライスした木製の円板、自然分解されやすい樹脂製の粒、樹脂フィルムの小片、反射しやすいアルミ箔の小片などが用いられ、その他、反射層形成物質として凝固剤などを用いることで、雪の密度を高め反射層として利用してもよい。
【００４４】
制御部１０は、距離測定器３、反射層形成システム４、及びデータ送信部１１と配線により電気的に接続されている。制御部１０は、距離測定器３の測定、反射層形成システム４の移動及び反射層形成作業、データ送信部１１による降雪深のデータ送信などに関する制御を行う。データ送信部１１は、制御部１０を通じて距離測定器３に接続されている。データ送信部１１は、距離測定器３が算出した降雪深のデータを受信設備を有する有人の観測所などに送信する。
【００４５】
以上の構成を有する降雪深観測装置１による降雪深観測方法について図面を参照して説明する。
【００４６】
図１に示すように、降雪深の観測開始時において、平坦な地面１３の上に雪面１２が形成されている。まず、図２に示すように、駆動部５によって、反射層形成システム４を矢印Ａ方向に回転させ、システム本体７を距離測定器３の下方に位置させる。
【００４７】
次に、図３及び図４に示すように、距離センサ８の光Ｖ１によって下方の雪面１２との距離Ｌ１を測りながら、駆動部５によって反射層形成システム４を下方に移動させ、雪面１２と噴射口９との距離が反射層を形成するために適切な距離（例えば、３０ｃｍ）となるように、システム本体７の高さを調整する。その後、図５に示すように、噴射口９から反射層形成物質を噴射することで薄い反射層１４を雪面１２上に形成する。その後、駆動部５によって反射層形成システム４を観測開始時の位置に戻す。なお、雪面１２と噴射口９との距離は、周囲の風の強さなどに応じて自動的に変更される態様であってもよい。
【００４８】
単位時間（例えば１時間、半日、１日）経過後、図６に示すように、新たな降雪により反射層１４の上方に雪面１６が形成され、観測開始時の雪面１２が、自重や新たな積雪の重みによって観測開始時点の平均高さ１５より高さＴ分だけ沈下した状態となる。この状態で、距離測定器３の照射部から雪を透過可能な第１の観測波Ｗ１を照射し、反射層１４に反射された第１の観測波Ｗ１を検出部で検出することにより、距離測定器３と反射層１４との距離、すなわち鉛直方向における距離測定器３と観測開始時の雪面１２との距離Ｌ２（第１の距離）を測定する。
【００４９】
次に、図７に示すように、距離測定器３の照射部から雪に反射される第２の観測波Ｗ２を照射し、雪面１６に反射された第２の観測波Ｗ２を検出部で検出することにより、鉛直方向における距離測定器３と新たな雪面１６との距離Ｌ３（第２の距離）を測定する。
【００５０】
その後、距離測定器３は、降雪深算出部において、距離測定器３と観測開始時の雪面１２との距離Ｌ２と距離測定器３と新たな雪面１６との距離Ｌ３との差分より、単位時間あたりの降雪深を算出する。そして、降雪深算出部が算出した降雪深のデータをデータ送信部１１によって観測所などに送信する。
【００５１】
以上のように、本発明の降雪深観測装置１によれば、単位時間経過後に距離測定器３と観測開始時の雪面１２との距離Ｌ２を測定するにあたり、雪面１２の沈下と共に反射層１４も沈下しているため、雪面１２の沈下も考慮した正確な距離を計測することが可能となる。従って、降雪深観測装置１によれば、正確な距離の計測結果に基づいて降雪深の算出を行うことにより、信頼性の高い降雪深の観測結果を得ることができる。さらに、従来の装置のように受雪板に支持された雪面ではなく、地面に支持された雪面１６に対して計測を行うことができるため、風などの影響により計測対象の雪が飛散することが抑制され、降雪深の観測結果の信頼性の向上が図られる。また、降雪深観測装置１では、制御部１０による観測作業の自動化が容易であり、距離測定器３が測定した降雪深のデータをデータ送信部１１が観測所などに自動送信するため、人的労力の低減が図られる。
【００５２】
また、反射層形成システム４が下方の雪面１２までの距離を測定する距離センサ８を有しているため、雪面１２に反射層１４を形成するために最適な位置に噴射口９を精度良く移動させることが可能となる。従って、反射層１４の形成作業をより確実に行うことが可能となり、降雪深の観測結果の信頼性の向上が図られる。
【００５３】
また、反射層形成システム４は、駆動部５によって支柱２の周方向で回動することができるため、反射層形成システム４を支柱２の周方向で回転させることで、距離測定器３による距離測定時に、反射層形成システム４が第１の観測波や第２の観測波の進路を妨げることを確実に回避することができ、信頼性の高い降雪深の観測結果を得ることが可能となる。
【００５４】
本発明は、上述した実施形態に限定されるものではない。
【００５５】
例えば、図６に示すように、第１の観測波Ｗ１によって距離測定器３と反射層１４（第１の反射層）との距離を測定した後、反射層形成システム４によって反射層１４の上方に形成された雪面１６上に新たな反射層（第２の反射層）を形成しても良い。この場合、第１の観測波Ｗ１によって距離測定器３と新たな反射層との距離を測定することで、距離測定器３と反射層１４との距離と、距離測定器３と新たな反射層と距離との差分（すなわち鉛直方向における距離測定器３と観測開始時の雪面１２との距離Ｌ２と鉛直方向における距離測定器３と単位時間経過後の雪面１６との距離との差分）から単位時間あたりの降雪深が算出される。これにより、第２の観測波Ｗ２を用いることなく、単位時間あたりの降雪深の算出を実現できるので、距離測定器３における第２の観測波Ｗ２の照射及び検出の機能を不要とし、降雪深観測装置１の低コスト化を図ることができる。
【００５６】
また、第１の観測波Ｗ１によって距離測定器３と観測開始時の雪面１２との距離Ｌ２を測定する工程と、第２の観測波Ｗ２によって距離測定器３と雪面１６との距離Ｌ３を測定する工程との順序は逆であってもよく、同時に行われてもよい。
【００５７】
また、反射層形成システム４によって反射層を形成するにあたり、距離測定器３の第１の観測波によって測定された距離測定器３と雪面１２との距離に基づいて、反射層形成システム４の噴射口９と雪面１２との距離の調整を行ってもよい。この場合、反射層形成システム４の距離センサ８を設ける必要がなくなり、降雪深観測装置１の低コスト化を図ることができる。
【図面の簡単な説明】
【００５８】
【図１】本発明の降雪深観測装置による降雪深観測方法の観測開始時の状態を示す説明図である。
【図２】図１に示す反射層形成システムの回転移動工程を示す説明図である。
【図３】図１に示す反射層形成システムの下方移動工程を示す説明図である。
【図４】反射層形成システムの位置調整工程を示す説明図である。
【図５】反射層形成システムの反射層形成工程を示す説明図である。
【図６】図１に示す距離測定器の反射層距離測定工程を示す説明図である。
【図７】距離測定器の雪面距離測定工程を示す説明図である。
【図８】従来の計測スケールによる降雪深観測方法を示す説明図である。
【図９】従来の降雪量測定装置による降雪深観測方法を示す説明図である。
【図１０】図９に示す降雪量測定装置による降雪深観測方法を示す説明図である。
【図１１】降雪量測定装置による降雪深観測方法を示す説明図である。
【図１２】従来の時間降雪量計測装置による降雪深観測方法を示す説明図である。
【図１３】図１２に示す時間降雪量計測装置による降雪深観測方法を示す説明図である。
【符号の説明】
【００５９】
１…降雪深観測装置、２…支柱、３…距離測定器（第１の観測波照射手段、第２の観測波照射手段、演算手段）、４…反射層形成システム（反射層形成手段）、５…駆動部、６…支持アーム、７…システム本体、８…距離センサ（距離測定手段）、９…噴射口、１０…制御部、１１…データ送信部、１２…観測開始時の雪面、１４…反射層、１６…単位時間経過後の雪面。
【図１】
2010032381.tif 000003
【図２】
2010032381.tif 000004
【図３】
2010032381.tif 000005
【図４】
2010032381.tif 000006
【図５】
2010032381.tif 000007
【図６】
2010032381.tif 000008
【図７】
2010032381.tif 000009
【図８】
2010032381.tif 000010
【図９】
2010032381.tif 000011
【図１０】
2010032381.tif 000012
【図１１】
2010032381.tif 000013
【図１２】
2010032381.tif 000014
【図１３】
2010032381.tif 000015